(57)【要約】【課題】駆動源及び冷媒を制御する主制御回路と、室内機又は他の室外機との間の通信を行う通信回路とを備えるヒートポンプ式空気調和装置の室外機において、外来ノイズに対する主制御回路又は通信回路の耐性を向上することができるヒートポンプ式空気調和装置の室外機を提供する。【解決手段】室外機は、ガスエンジン及び冷媒を制御するメインマイコン７１と、当該室外機と室内機又は他の室外機との間の通信を行う通信マイコン７２と、メインマイコン７１及び通信マイコン７２に接続され電気的に絶縁された状態でメインマイコン７１及び通信マイコン７２間で信号を伝送するフォトカプラ７４，７５と、交流商用電源をＡＣ／ＤＣ変換した直流電圧を電気的に絶縁された状態でメインマイコン７１に電源供給する主制御用電源６６と、交流商用電源をＡＣ／ＤＣ変換した直流電圧を電気的に絶縁された状態で通信マイコン７２に電源供給する通信用電源６７とを備える。【選択図】図３
2010139158.tif 000002
【特許請求の範囲】
【請求項１】
駆動源、該駆動源により駆動されて冷媒を吸入するとともに該吸入した冷媒を圧縮して吐出するコンプレッサ及び冷房運転時は冷媒の凝縮器として機能し暖房運転時は冷媒の蒸発器として機能する室外機熱交換器を有する室外機であって、室内機に設けられ冷房運転時は冷媒の蒸発器として機能し暖房運転時は冷媒の凝縮器として機能する室内機熱交換器及び前記室外機熱交換器に冷媒回路を通じて冷媒が循環されるヒートポンプ式空気調和装置の室外機において、
前記駆動源及び冷媒を制御する主制御回路と、
当該室外機と前記室内機又は他の室外機との間の通信を行う通信回路と、
前記主制御回路及び前記通信回路に接続され、電気的に絶縁された状態で前記主制御回路及び前記通信回路間で信号を伝送する伝送回路と、
交流商用電源をＡＣ／ＤＣ変換して直流電源を生成する電源回路と、
前記電源回路及び前記主制御回路に接続され、電気的に絶縁された状態で前記電源回路から前記主制御回路に電源供給する第１電源と、
前記電源回路及び前記通信回路に接続され、電気的に絶縁された状態で前記電源回路から前記通信回路に電源供給する第２電源とを備えたことを特徴とするヒートポンプ式空気調和装置の室外機。
【請求項２】
請求項１に記載のヒートポンプ式空気調和装置の室外機において、
前記伝送回路は、前記主制御回路及び前記通信回路のいずれか一方及び他方を入力側及び出力側とするフォトカプラ又は絶縁型トランスであることを特徴とするヒートポンプ式空気調和装置の室外機。
【請求項３】
請求項１又は２に記載のヒートポンプ式空気調和装置の室外機において、
前記通信回路が実装される通信基板と、
前記主制御回路が実装される主制御基板とを備え、
前記伝送回路は、前記通信基板に実装されていることを特徴とするヒートポンプ式空気調和装置の室外機。
【発明の詳細な説明】
【技術分野】
【０００１】
本発明は、ヒートポンプ式空気調和装置の室外機に関するものである。
【背景技術】
【０００２】
従来、ヒートポンプ式空気調和装置としては、例えば特許文献１、２に記載されたものが知られている。これらの空気調和装置では、室外機及び室内機間のデジタル信号の送受に関し、ノイズ（サージ）対策としてカレントループ型の通信方式を採用している。そして、通信ライン上の受信側及び送信側に各々フォトカプラと複数の抵抗とを配置し、フォトカプラのオン・オフによってデジタル信号の送受を行うとともに絶縁性を確保している。カレントループ型の通信方式では、カレントループの電流信号で通信が行われるため、例えば電圧伝送方式に比べてコモン・モード・ノイズ（同相ノイズ）耐性が高い特徴を有する。
【０００３】
他方、各端末のフォトカプラや線路抵抗による電圧降下が発生するため、長距離伝送や多台数でのマルチポイント接続の場合は、カレントループの電流信号の電源（以下、「ループ電源」ともいう）の電圧を高くする必要がある。特許文献１、２では、室外機及び室内機間の通信ラインの総延長は１００ｍ程度で小台数を想定しているものと推定される。また、ループ電源は非絶縁電源であるため、コントローラ（通信回路）の絶縁性を確保しながらも、当該ループ電源の絶縁耐圧は僅少である。
【特許文献１】特開２００６−１２９２７６号公報
【特許文献２】特開平８−２７１０２２号公報
【発明の開示】
【発明が解決しようとする課題】
【０００４】
ところで、近年のヒートポンプ式空気調和装置では、マルチ式空調化や室外機の大容量化、大型物件対応、郊外大規模物件対応などから、室内外通信ネットワークには、複数室外機、多室内機間の通信を許容し得る長距離対応が要求される。特に、冷媒系統別に通信ラインを区分けして配線工事する煩わしさの解消や、ネットワーク全体を統括制御する制御機器の接続のため、冷媒系統を跨いで室外機間も接続するネットワークを構築することが要求される。また、通信ラインは、屋外に配線されることに伴い電磁気環境的に非常に厳しい状況に置かれるため、より信頼性の高い通信が要求される。
【０００５】
一方、従来のカレントループ型の通信方式では、例えば室外機に配置されたループ電源が非絶縁電源であるため、例えば並走する商用電源の電源供給ラインから通信ラインに誘導されたコモン・モード・サージや誘導雷により通信ラインに重畳したコモン・モード・サージがループ電源に抜け、コントローラ（通信回路）やその電源回路に不具合が生じる可能性がある。
【０００６】
また、多台数でのマルチポイント接続にカレントループ型の通信方式を採用すると、いずれか一つの機器が電源オフされ、あるいは故障することで全通信が使用不能となり、特に室外機及び室内機が個別に電源を有する大規模なヒートポンプ式空気調和装置では、その分、通信の信頼性が低下する可能性がある。
【０００７】
さらに、長距離伝送や多台数でのマルチポイント接続に伴い、ループ電源の電圧が非常に高くなり、通信ラインの耐圧向上を図る必要がある。
【０００８】
さらにまた、複数の室外機間を接続するネットワークの場合、ループ電源を供給するいずれか一つの室外機を選択しなければならない。
【０００９】
また、冷媒の循環に係るコンプレッサの駆動をガスエンジンで行うヒートポンプ式空気調和装置（即ちガスヒートポンプ式空気調和装置）の場合、室外機はエンジン制御の必要性から制御回路のグランドを筐体フレームのグランドに落とすシステムグランドの構成を採用することが一般的である。一方、室内機は、電磁障害を生じさせないためのＥＭＣ用アースは存在するものの、回路基板等のグランド系は基本的に非接地方式が採用されている。従って、通信ラインに誘導・重畳した高エネルギーのサージは室外機を経由して筐体フレームから大地に抜けていくことになり、やはり室外機側の絶縁耐圧が不十分になる可能性がある。
【００１０】
以上のように、室外機のコントローラが通信制御を兼ねる構成では、室外機に設置されたエンジンの点火ノイズやモータ類のインバータノイズ、あるいは商用電源から侵入するサージ等がコントローラから通信ラインに伝搬・重畳、あるいは誘導されるノイズの問題が生じる。一方、通信ラインの配線は建物間に跨るため、雷サージの影響を受けやすいという問題もある。つまり、通信方式自体が平衡伝送通信であっても、回路系が接地されていることでコモン・モード・ノイズも含めて影響を受けてしまう。さらに、通信ネットワークは上述の外来ノイズ以外に施工上の影響を受けやすく、例えば電源供給ラインとの誤接続、通信ラインの地絡などが生じた場合に共通回路である主制御回路及び通信回路に同時に不具合が発生することがある。
【００１１】
本発明の目的は、駆動源及び冷媒を制御する主制御回路と、室内機又は他の室外機との間の通信を行う通信回路とを備えるヒートポンプ式空気調和装置の室外機において、外来ノイズに対する主制御回路又は通信回路の耐性を向上することができるヒートポンプ式空気調和装置の室外機を提供することにある。
【課題を解決するための手段】
【００１２】
上記問題点を解決するために、請求項１に記載の発明は、駆動源、該駆動源により駆動されて冷媒を吸入するとともに該吸入した冷媒を圧縮して吐出するコンプレッサ及び冷房運転時は冷媒の凝縮器として機能し暖房運転時は冷媒の蒸発器として機能する室外機熱交換器を有する室外機であって、室内機に設けられ冷房運転時は冷媒の蒸発器として機能し暖房運転時は冷媒の凝縮器として機能する室内機熱交換器及び前記室外機熱交換器に冷媒回路を通じて冷媒が循環されるヒートポンプ式空気調和装置の室外機において、前記駆動源及び冷媒を制御する主制御回路と、当該室外機と前記室内機又は他の室外機との間の通信を行う通信回路と、前記主制御回路及び前記通信回路に接続され、電気的に絶縁された状態で前記主制御回路及び前記通信回路間で信号を伝送する伝送回路と、交流商用電源をＡＣ／ＤＣ変換して直流電源を生成する電源回路と、前記電源回路及び前記主制御回路に接続され、電気的に絶縁された状態で前記電源回路から前記主制御回路に電源供給する第１電源と、前記電源回路及び前記通信回路に接続され、電気的に絶縁された状態で前記電源回路から前記通信回路に電源供給する第２電源とを備えたことを要旨とする。
【００１３】
請求項２に記載の発明は、請求項１に記載のヒートポンプ式空気調和装置の室外機において、前記伝送回路は、前記主制御回路及び前記通信回路のいずれか一方及び他方を入力側及び出力側とするフォトカプラ又は絶縁型トランスであることを要旨とする。
【００１４】
上記各構成によれば、前記主制御回路及び前記通信回路間では、前記伝送回路により電気的に絶縁された状態で信号が伝送される。そして、前記主制御回路には前記第１電源により電気的に絶縁された状態で前記電源回路からの電源が供給され、前記通信回路には前記第２電源により電気的に絶縁された状態で前記電源回路からの電源が供給される。このように、前記主制御回路及び前記通信回路は、各々の電源供給が前記電源回路から電気的に絶縁された状態で独立になされるため、外来ノイズに対する前記主制御回路又は前記通信回路の絶縁耐性を向上することができる。
【００１５】
請求項３に記載の発明は、請求項１又は２に記載のヒートポンプ式空気調和装置の室外機において、前記通信回路が実装される通信基板と、前記主制御回路が実装される主制御基板とを備え、前記伝送回路は、前記通信基板に実装されていることを要旨とする。
【００１６】
同構成によれば、例えば室内機又は他の室外機との通信ラインを通じて当該室外機（通信回路）に侵入した雷サージ等の外来ノイズによって前記伝送回路（例えばフォトカプラ）に絶縁破壊が生じたとしても、該伝送回路の実装された前記通信基板の修理又は交換で対応することができ、整備工数を削減することができる。
【発明の効果】
【００１７】
本発明では、駆動源及び冷媒を制御する主制御回路と、室内機又は他の室外機との間の通信を行う通信回路とを備えるヒートポンプ式空気調和装置の室外機において、外来ノイズに対する主制御回路又は通信回路の耐性を向上することができるヒートポンプ式空気調和装置の室外機を提供することができる。
【発明を実施するための最良の形態】
【００１８】
以下、本発明を具体化した一実施形態を図面に従って説明する。
【００１９】
図１は、本実施形態に係るガスヒートポンプ式空気調和装置を示す冷媒系統の回路図である。同図に示されるように、このガスヒートポンプ式空気調和装置は、室外機１０と、一つ又は複数の室内機３０とを備えて構成されている。
【００２０】
室外機１０に設置され、駆動源としてのガスエンジン１１により駆動されるコンプレッサ１２は、冷媒を吸入するとともに該吸入した冷媒を圧縮して、冷媒配管１３ａを介して接続された四方弁１４に冷媒を送り出す。なお、冷媒配管１３ａには、オイルセパレータ２６が設けられている。
【００２１】
四方弁１４は、冷媒配管１３ｂを介して室外機熱交換器１５に接続されるとともに、冷媒配管１３ｃを介してサブ熱交換器１６に接続され、更に冷媒配管１３ｄを介して開閉弁１７に接続されている。また、四方弁１４は、冷媒配管１３ｅを介してアキュームレータ１８に接続されるとともに、該アキュームレータ１８は、冷媒配管１３ｆを介して前記コンプレッサ１２に接続されている。
【００２２】
なお、前記室外機熱交換器１５は、冷房運転時は冷媒の凝縮器として機能し暖房運転時は冷媒の蒸発器として機能するもので、冷媒配管１３ｇを介して過冷却熱交換器１９に接続されている。また、冷媒配管１３ｇには、過冷却熱交換器１９側への冷媒の流れを許容する逆止弁２１が配置されるとともに、該逆止弁２１と並列で流量調整弁２２ａが配置されている。さらに、前記サブ熱交換器１６は、暖房運転時は冷媒の蒸発器として機能するもので、冷媒配管１３ｈを介して過冷却熱交換器１９に接続されている。そして、冷媒配管１３ｈには、流量調整弁２２ｂが配置されている。また、過冷却熱交換器１９は、冷媒配管１３ｉを介して開閉弁２０に接続されている。
【００２３】
室内機３０に設置された室内機熱交換器３１は、冷媒配管３２ａを介して前記開閉弁１７に接続されるとともに、冷媒配管３２ｂを介して前記開閉弁２０に接続されている。そして、冷媒配管３２ｂには、電子膨張弁３３が配置されている。なお、前記室内機熱交換器３１は、冷房運転時は冷媒の蒸発器として機能し暖房運転時は冷媒の凝縮器として機能する。
【００２４】
冷媒配管１３ａ〜１３ｉ，３２ａ，３２ｂは、コンプレッサ１２から吐出された冷媒が該コンプレッサ１２に吸入されるまでの流路を形成して、室外機熱交換器１５及び室内機熱交換器３１に冷媒を循環させる冷媒回路Ｌを構成する。
【００２５】
ここで、冷媒の流れについて説明する。なお、図１では、冷房運転時及び暖房運転時の冷媒の流れを実線矢印及び破線矢印で表している。
【００２６】
冷房運転時、コンプレッサ１２を出た冷媒は、オイルセパレータ２６及び四方弁１４を通過した後、室外機熱交換器１５に導かれる。ここで、冷媒は、外気により熱を奪われて凝縮・液化し、更に過冷却熱交換器１９により過冷却状態となる。その後、冷媒配管３２ｂを通り室内機３０の電子膨張弁３３で減圧された冷媒は、室内機熱交換器３１で室内の熱を奪い気化する。その後、冷媒は、冷媒配管３２ａを通り四方弁１４及びアキュームレータ１８を経てコンプレッサ１２に戻る。
【００２７】
一方、暖房運転時、コンプレッサ１２を出た冷媒は、オイルセパレータ２６及び四方弁１４を通過した後、室内機熱交換器３１（室内機３０）に導かれる。ここで、冷媒は、室内へ熱を放出し、凝縮・液化する。その後、室内機３０の電子膨張弁３３で減圧された冷媒は、冷媒配管３２ｂを通り、室外機１０の流量調整弁２２ａ，２２ｂでそれぞれ減圧され、該流量調整弁２２ａを通過した冷媒は室外機熱交換器１５に、流量調整弁２２ｂを通過した冷媒はサブ熱交換器１６にそれぞれ導かれる。冷媒は、室外機熱交換器１５では外気から熱を吸収、気化し、サブ熱交換器１６ではエンジン排熱から熱を吸収、気化する。その後、室外機熱交換器１５を通過し四方弁１４を経た冷媒と、サブ熱交換器１６を通過した冷媒とが合流し、アキュームレータ１８を経てコンプレッサ１２に戻る。
【００２８】
図１に併せ示したように、室外機１０には、制御ユニット４０が搭載されている。この制御ユニット４０は、電源基板４１と、該電源基板４１を通じて個別に電源供給される主制御基板４２及び通信基板４３とを備えて構成される。なお、主制御基板４２及び通信基板４３間で信号としてのデジタル信号が伝送（送受）されるようになっている。
【００２９】
主制御基板４２は、前記コンプレッサ１２を駆動制御するとともに、前記室外機熱交換器１５に外気を送風する一対のファン４４，４５を駆動制御し、更にガスエンジン１１に冷却液を循環させる冷却液ポンプ４６を駆動制御する。これらファン４４，４５、冷却液ポンプ４６は、室外機１０の電動補機（補助機器）を構成するものである。あるいは、主制御基板４２は、前記ガスエンジン１１の点火に係るイグナイタ電源４７（図２参照）を駆動制御するとともに、燃料ガスの供給に係るガス電磁弁４８（図２参照）を駆動制御する。一方、通信基板４３は、所定の伝送方式（例えばシリアル・ベースバンド伝送）に従って、当該室外機１０と室内機３０又は冷媒系統を跨いだ他の室外機との間の通信を行う。
【００３０】
ここで、主制御基板４２は、室外機１０に配設された各種センサを通じて該室外機１０における冷媒等の情報（温度情報等）を取得する。また、主制御基板４２は、通信基板４３を通じて室内機３０又は他の室外機に要求信号を送信し、該室内機３０等に配設された各種センサの取得した冷媒等の情報（温度情報等）をデジタル信号で応答させるとともに、これらを通信基板４３を介して受信する。そして、主制御基板４２は、これらの情報に基づいて室外機１０に配設されたコンプレッサ１２等を駆動制御する。あるいは、主制御基板４２は、通信基板４３を通じて室内機３０又は他の室外機に指令信号を送信し、該室内機３０等に配設された電子膨張弁３３等を駆動制御する。
【００３１】
次に、前記制御ユニット４０の電気的構成について説明する。図２は、制御ユニット４０を示す電気回路図である。同図に示されるように、制御ユニット４０は、三相の交流商用電源ＡＣ（例えば２００Ｖ）に３本の交流電線５１ａ，５１ｂ，５１ｃを介して電気的に接続されたＤＣブラシレスモータ駆動基板（以下、「ＤＣＢＬ基板５２」という）を備える。なお、これら交流電線５１ａ〜５１ｃには、ブレーカ５３及びノイズフィルタを構成するＥＭＣ基板５４が電気的に接続されている。
【００３２】
ＤＣＢＬ基板５２は、三相ダイオードブリッジ５５において交流電線５１ａ〜５１ｃと電気的に接続されている。この三相ダイオードブリッジ５５は、６個のダイオードを有しており、交流商用電源ＡＣの交流電圧を整流する。三相ダイオードブリッジ５５は、プラス側の直流電線５６ａ及びマイナス側の直流電線５６ｂをそれぞれ介してインバータ５７に電気的に接続されるとともに、両直流電線５６ａ，５６ｂは、平滑用の電解コンデンサ５８を介して電気的に接続されている。従って、インバータ５７には、電解コンデンサ５８での平滑化によって生成された直流電圧（つまり、三相ダイオードブリッジ５５及び電解コンデンサ５８でＡＣ／ＤＣ変換された直流電圧（直流電源））が供給されている。三相ダイオードブリッジ５５及び電解コンデンサ５８は、電源回路を構成する。
【００３３】
インバータ５７は、６個のスイッチング素子を有しており、３本の交流電線６０ａ，６０ｂ，６０ｃを介して同期モータからなるＤＣブラシレスモータ４４ａ，４５ａ，４６ａと電気的に接続されている。これらＤＣブラシレスモータ４４ａ，４５ａ，４６ａは、前記ファン４４，４５、前記冷却液ポンプ４６の駆動源を構成するもので、インバータ５７のスイッチング制御によりＰＷＭ駆動されることで回転速度を変化させる。図２では、便宜的にＤＣブラシレスモータ４４ａ〜４６ａ及びインバータ５７を各１個で描画しているが、ファン４４，４５及び冷却液ポンプ４６に対応して３個ずつ配設されている。なお、インバータ５７は、ＤＣＢＬ基板５２に設けられた制御回路５９によってスイッチング制御されている。
【００３４】
前記電源基板４１は、インバータ５７及び電解コンデンサ５８間の接続点Ｐ，Ｎにおいて直流電線５６ａ，５６ｂに電気的に接続されており、直流電線５６ａのプラス側の電位Ｖ＋及び直流電線５６ｂのマイナス側の電位Ｖ−をそれぞれ入力する。この電源基板４１は、複数のフライバック型の電源を備えており、両接続点Ｐ，Ｎ間の直流電圧をＤＣ／ＤＣ変換した直流電圧を主制御基板４２、通信基板４３及び制御回路５９に個別に供給する。あるいは、電源基板４１は、主制御基板４２からの指令信号に基づき、両接続点Ｐ，Ｎ間の直流電圧をＤＣ／ＤＣ変換した直流電圧を前記イグナイタ電源４７及びガス電磁弁４８に個別に供給する。
【００３５】
なお、直流電線５６ａ，５６ｂは、接続点Ｐ，Ｎにおいて発電コンバータ６１に電気的に接続されている。そして、発電コンバータ６１には、前記電源基板４１により両接続点Ｐ，Ｎ間の直流電圧がＤＣ／ＤＣ変換されてなる直流電圧が供給されている。この発電コンバータ６１は、前記インバータ５７と同様に６個のスイッチング素子を有しており、前記ガスエンジン１１により駆動される同期モータからなる発電機（図示略）と３本の交流電線を介して電気的に接続されている。発電コンバータ６１は、主制御基板４２又は適宜の制御回路により駆動制御されており、発電機を回生制御して直流電圧（直流電力）を生成するとともに、該直流電圧を両接続点Ｐ，Ｎに回生出力する。発電により生成される直流電圧は、交流商用電源ＡＣ（２００Ｖ）から生成された両接続点Ｐ，Ｎ間の直流電圧（例えば３１２Ｖ）を嵩上げした電圧（例えば３２０Ｖ）に設定されている。両接続点Ｐ，Ｎに回生出力された直流電圧は、充電装置に充電される。充電装置に充電された電力は、例えばガスエンジン１１の始動に係るスタータモータの駆動に利用される。
【００３６】
次に、電源基板４１、主制御基板４２及び通信基板４３の電気的構成について図３に基づき更に説明する。同図に示されるように、電源基板４１は、フライバック方式の第１電源としての主制御用電源６６及び第２電源としての通信用電源６７を備える。
【００３７】
主制御用電源６６は、高周波トランスＴ１を有する。高周波トランスＴ１の一次コイルＬ１１の一端は前記接続点Ｐに電気的に接続されており、該一次コイルＬ１１の他端はＮチャネルＭＯＳＦＥＴからなるトランジスタＱ１のドレインに電気的に接続されている。そして、トランジスタＱ１のソースは、前記接続点Ｎに電気的に接続されている。また、トランジスタＱ１のゲートには、例えば自励発振部や発振器からなる発振部ＯＳＣ１が電気的に接続されている。トランジスタＱ１は、発振部ＯＳＣ１の生成する信号周波数に応じたデューティ比でスイッチング（オン・オフ）動作する。一方、高周波トランスＴ１の二次コイルＬ１２の一端はダイオードＤ１のアノードに電気的に接続されている。そして、二次コイルＬ１２の他端はＧＮＤ１に電気的に接続されており、ダイオードＤ１のカソードは高電圧側端子ＶＨ１に電気的に接続されている。また、これら高電圧側端子ＶＨ１及びＧＮＤ１は、平滑用の電解コンデンサＣ１を介して電気的に接続されている。主制御用電源６６は、発振部ＯＳＣ１の信号周波数（デューティ比）に応じて前記接続点Ｐ，Ｎ間の直流電圧を降圧した直流電圧Ｖ１（例えば１２Ｖ）を、高電圧側端子ＶＨ１及びＧＮＤ１間に出力する。この直流電圧Ｖ１が、前記接続点Ｐ，Ｎ（交流商用電源ＡＣ）から電気的に絶縁された状態で生成されていることはいうまでもない。
【００３８】
同様に、通信用電源６７は、高周波トランスＴ２を有する。高周波トランスＴ２の一次コイルＬ２１の一端は前記接続点Ｐに電気的に接続されており、該一次コイルＬ２１の他端はＮチャネルＭＯＳＦＥＴからなるトランジスタＱ２のドレインに電気的に接続されている。そして、トランジスタＱ２のソースは、前記接続点Ｎに電気的に接続されている。また、トランジスタＱ２のゲートは、例えば自励発振部や発振器からなる発振部ＯＳＣ２が電気的に接続されている。トランジスタＱ２は、発振部ＯＳＣ２の生成する信号周波数に応じたデューティ比でスイッチング（オン・オフ）動作する。一方、高周波トランスＴ２の二次コイルＬ２２の一端はダイオードＤ２のアノードに電気的に接続されている。そして、二次コイルＬ２２の他端は前記ＧＮＤ１から電気的に絶縁された室外機１０（筐体フレーム）のグランドＧＮＤ２に電気的に接続されており、ダイオードＤ２のカソードは前記高電圧側端子ＶＨ１から電気的に絶縁された高電圧側端子ＶＨ２に電気的に接続されている。また、これら高電圧側端子ＶＨ２及びグランドＧＮＤ２は、平滑用の電解コンデンサＣ２を介して電気的に接続されている。通信用電源６７は、発振部ＯＳＣ２の信号周波数（デューティ比）に応じて前記接続点Ｐ，Ｎ間の直流電圧を降圧した直流電圧Ｖ２（例えば１６Ｖ）を、高電圧側端子ＶＨ２及びグランドＧＮＤ２間に出力する。この直流電圧Ｖ２が、前記接続点Ｐ，Ｎ（交流商用電源ＡＣ）から電気的に絶縁された状態で生成されていることはいうまでもない。
【００３９】
前記主制御基板４２には、前述したガスエンジン１１や冷媒の各種制御を司る主制御回路としてのメインマイコン７１が実装されている。このメインマイコン７１は、前記主制御用電源６６の高電圧側端子ＶＨ１及びＧＮＤ１に電気的に接続されており、前記直流電圧Ｖ１が供給されている。
【００４０】
前記通信基板４３には、前述した通信の各種制御を司る通信回路としての通信マイコン７２が実装されるとともに、該通信マイコン７２に駆動制御されて前記室内機３０（又は他の室外機）との間の信号伝送を行う通信ドライバ７３が実装されている。この通信マイコン７２は、前記通信用電源６７の高電圧側端子ＶＨ２及びグランドＧＮＤ２に電気的に接続されており、前記直流電圧Ｖ２が供給されている。
【００４１】
また、通信基板４３には、一対の伝送回路としてのフォトカプラ７４，７５が実装されている。そして、一方のフォトカプラ７４は、受光素子を構成するＮＰＮ型のフォトトランジスタ７４ａのコレクタがメインマイコン７１に電気的に接続されるとともに、該コレクタが抵抗Ｒ１１を介して前記高電圧側端子ＶＨ１に電気的に接続されている。そして、フォトトランジスタ７４ａのエミッタは前記ＧＮＤ１に電気的に接続されている。一方、フォトカプラ７４は、発光ダイオード７４ｂのアノードが抵抗Ｒ１２を介して前記高電圧側端子ＶＨ２に電気的に接続されるとともに、発光ダイオード７４ｂのカソードが通信マイコン７２に電気的に接続されている。従って、発光ダイオード７４ｂは、通信マイコン７２の送信するデジタル信号によってカソードの電位が切り替えられることで発光する。そして、発光ダイオード７４ｂの発する光は、フォトトランジスタ７４ａに電流を生じさせることで、そのコレクタの電位を切り替える。メインマイコン７１は、この電位の切り替わりに基づいて発光ダイオード７４ｂの点灯又は消灯、即ち通信マイコン７２の送信したデジタル信号を受信する。このように、通信マイコン７２からメインマイコン７１へのデジタル信号の伝送は、電気的に絶縁された状態でフォトカプラ７４を介した光通信で行われている。
【００４２】
同様に、他方のフォトカプラ７５は、受光素子を構成するＮＰＮ型のフォトトランジスタ７５ａのコレクタが通信マイコン７２に電気的に接続されるとともに、該コレクタが抵抗Ｒ２１を介して前記高電圧側端子ＶＨ２に電気的に接続されている。そして、フォトトランジスタ７５ａのエミッタはグランドＧＮＤ２に電気的に接続されている。一方、フォトカプラ７５は、発光ダイオード７５ｂのアノードが抵抗Ｒ２２を介して前記高電圧側端子ＶＨ１に電気的に接続されるとともに、発光ダイオード７５ｂのカソードがメインマイコン７１に電気的に接続されている。従って、発光ダイオード７５ｂは、メインマイコン７１の送信するデジタル信号によってカソードの電位が切り替えられることで発光する。そして、発光ダイオード７５ｂの発する光は、フォトトランジスタ７５ａに電流を生じさせることで、そのコレクタの電位を切り替える。通信マイコン７２は、この電位の切り替わりに基づいて発光ダイオード７５ｂの点灯又は消灯、即ちメインマイコン７１の送信したデジタル信号を受信する。このように、メインマイコン７１から通信マイコン７２へのデジタル信号の伝送は、電気的に絶縁された状態でフォトカプラ７５を介した光通信で行われている。
【００４３】
以上により、メインマイコン７１及び通信マイコン７２には、前記接続点Ｐ，Ｎ（交流商用電源ＡＣ）から電気的に絶縁された互いに独立の直流電圧Ｖ１，Ｖ２がそれぞれ供給されており、これらメインマイコン７１及び通信マイコン７２間のデジタル信号の伝送もフォトカプラ７４，７５を介して電気的に絶縁された状態で行われる。
【００４４】
以上詳述したように、本実施形態によれば、以下に示す効果が得られるようになる。
【００４５】
（１）本実施形態では、メインマイコン７１及び通信マイコン７２間では、フォトカプラ７４，７５により電気的に絶縁された状態でデジタル信号が伝送される。そして、メインマイコン７１には、主制御用電源６６により前記接続点Ｐ，Ｎ（交流商用電源ＡＣ）から電気的に絶縁された状態で直流電圧Ｖ１が供給される。また、通信マイコン７２には、通信用電源６７により前記接続点Ｐ，Ｎ（交流商用電源ＡＣ）から電気的に絶縁された状態で直流電圧Ｖ２が供給される。このように、メインマイコン７１及び通信マイコン７２は、各々の電源供給が前記接続点Ｐ，Ｎから電気的に絶縁された状態で独立になされるため、例えば交流商用電源ＡＣから侵入する雷サージや電源サージ等の外来ノイズに対する通信マイコン７２の絶縁耐性（ノイズ耐性）を向上することができる。
【００４６】
また、メインマイコン７１及び通信マイコン７２の各グランド（ＧＮＤ１又はグランドＧＮＤ２）が分離されているため、例えば電源供給ラインを通じてメインマイコン７１（主制御基板４２）に侵入するガスエンジン１１の点火ノイズやＤＣブラシレスモータ４４ａ〜４６ａ等のインバータノイズが、通信マイコン７２（通信基板４３、通信ライン）に及ぼす影響を低減することができる。そして、通信ライン上のコモン・モード・ノイズを抑制できるため、より安定した通信を実現することができる。
【００４７】
（２）本実施形態では、フォトカプラ７４，７５を通信基板４３に実装した。従って、例えば室内機３０又は他の室外機との通信ラインを通じて当該室外機１０（通信マイコン７２）に侵入した雷サージ等の外来ノイズ、あるいは通信ラインの地絡や誤接続等によってフォトカプラ７４，７５に絶縁破壊が生じたとしても、該フォトカプラ７４，７５の実装された通信基板４３の修理又は交換で対応することができ、整備工数を削減することができる。
【００４８】
（３）本実施形態では、室外機１０の通信系統をフォトカプラ７４，７５にて好適に絶縁することで、通信ネットワーク全体の絶縁耐性を向上することができ、コモン・モード・ノイズを遮断するとともに、通信の誤動作又は不具合の発生を抑制することができる。また、通信ラインの地絡や誤接続等が生じても、メインマイコン７１及び通信マイコン７２が同時に不具合発生する可能性を低減することができ、通信マイコン７２のみの不具合発生に留めることができる。
【００４９】
（４）本実施形態では、室内機３０又は他の室外機の電源オフ又は故障によってネットワーク全体が動作不能に陥ることを回避できる。
【００５０】
なお、上記実施形態は以下のように変更してもよい。
【００５１】
・前記実施形態において、フォトカプラ７４，７５の受光素子は、サイリスタやトライアックなどであってもよい。
【００５２】
・前記実施形態において、伝送回路としてのフォトカプラ７４，７５に代えて、絶縁型トランスを採用してもよい。
【００５３】
・前記実施形態において、メインマイコン７１（主制御基板４２）による駆動制御の対象は、例えば室内機３０に設置される送風ファン用のモータや風向き変更用のモータなどであってもよい。
【００５４】
・前記実施形態において、発電機及びその回生制御に係る発電コンバータ６１等を割愛してもよい。
【００５５】
・前記実施形態において、交流商用電源ＡＣは単相であってもよい。
【００５６】
・本発明は、電気式ヒートポンプや灯油ヒートポンプの空気調和装置に適用してもよい。
【図面の簡単な説明】
【００５７】
【図１】本発明の一実施形態の冷媒系統を示す回路図。
【図２】同実施形態の電気系統を示す回路図。
【図３】同実施形態の電気系統を示す回路図。
【符号の説明】
【００５８】
Ｌ…冷媒回路、ＡＣ…交流商用電源、１０…室外機、１１…ガスエンジン（駆動源）、１２…コンプレッサ、１５…室外機熱交換器、３０…室内機、３１…室内機熱交換器、４２…主制御基板、４３…通信基板、５５…三相ダイオードブリッジ（電源回路）、５８…電解コンデンサ（電源回路）、６６…主制御用電源（第１電源）、６７…通信用電源（第２電源）、７１…メインマイコン（主制御回路）、７２…通信マイコン（通信回路）、７４，７５…フォトカプラ（伝送回路）。
【図１】
2010139158.tif 000003
【図２】
2010139158.tif 000004
【図３】
2010139158.tif 000005